(57)【特許請求の範囲】
【請求項１】
複数の蓄電素子と前記複数の蓄電素子を収容する蓄電素子ケースとを有する蓄電モジュールと、
電子部品が実装された回路部と、
前記回路部の熱を放熱する放熱部材と、
前記蓄電素子、前記回路部及び前記放熱部材が前記蓄電素子と前記放熱部材との間に前記回路部を配して積層された状態で前記蓄電モジュールを保持する保持部材と、
前記蓄電素子の膨張を押さえる押さえ板と、
を備え、
前記保持部材は、前記蓄電素子を支持し、前記放熱部材に当接する支持部と、前記蓄電素子と前記回路部とを仕切る仕切り壁部と、前記押さえ板をネジでネジ留めするための留め部と、を備え、
前記保持部材における少なくとも前記支持部は金属製とされ、
前記仕切り壁部は、前記回路部に対して隙間を空けて対向配置されており、
前記仕切り壁部と前記押さえ板との間に前記蓄電モジュールが挟まれて位置決めされる蓄電ユニット。
【請求項２】
前記保持部材は金属製であり、前記支持部は、前記回路部の周りに延びた周壁である請求項１に記載の蓄電ユニット。
【請求項３】
前記保持部材は、前記蓄電素子を内側に収容する収容壁を備え、
前記周壁の厚み寸法は、前記収容壁の厚み寸法よりも厚い請求項２に記載の蓄電ユニット。
【請求項４】
前記仕切り壁部は、前記蓄電素子を位置決めする位置決め部を有する請求項１ないし請求項３のいずれか一項に記載の蓄電ユニット。
【請求項５】
前記支持部は、前記放熱部材に対して当該支持部とは反対側からネジでネジ留めして固定される留め部を有する請求項１ないし請求項４のいずれか一項に記載の蓄電ユニット。
【請求項６】
外部に取り付けられる取付部を備え、
前記取付部は、前記支持部にネジでネジ留めして固定されている請求項１ないし請求項５のいずれか一項に記載の蓄電ユニット。
【発明の詳細な説明】
【技術分野】
【０００１】
本明細書では、回路部と蓄電素子とを備えた技術を開示する。
【背景技術】
【０００２】
従来、電子部品が実装された回路部がケースに収容された電気接続箱が知られている。特許文献１は、電子部品が実装された回路部と、回路部の熱を放散する導電性の放熱部材と、回路部を放熱部材との間に収容する導電性のケースとを備えた電気接続箱が記載されている。
【０００３】
ところで、電気接続箱と蓄電素子とを車両等に搭載する場合、これらが別々に搭載されると、搭載スペースが大きくなるとともに、これらを接続するための電線やコネクタが必要になるため、部品点数が増加して重量が重くなるとともに、電線の抵抗による送電ロスが生じるという問題がある。
一方、電気接続箱の回路部と蓄電素子とを纏めれば、これらの搭載スペースを小さくできるとともに、電線やコネクタ等による重量の増加や電線の抵抗による送電ロスを抑制できるため好適である。
【０００４】
特許文献２には、キャパシタブロックと、このキャパシタブロックに充電または放電を行うための充放電回路からなる制御回路部と、キャパシタブロック及び制御回路部を収納するケースとを備えたキャパシタユニットが記載されている。ケースは、下側ケースと上側カバーとからなり、キャパシタブロックは、下側ケースに収容されてネジで固定されている。
【先行技術文献】
【特許文献】
【０００５】
【特許文献１】特開２０１４−８２８４４号公報
【特許文献２】特開２００５−９４９４３号公報
【発明の概要】
【発明が解決しようとする課題】
【０００６】
しかしながら、回路部と蓄電素子とを纏める場合、一般に蓄電素子の重量が重いために蓄電素子の重さによる不具合が生じることが懸念される。特許文献２では、キャパシタブロックは、ケースに固定されているが、このケースは、キャパシタブロック及び制御回路部の全体を覆うだけでなく、キャパシタブロックと制御回路部の放熱板とを固定する構成を備えているため、ケースの構成が複雑になり、キャパシタユニットの構成の小型化が容易ではないという問題がある。
本発明は上記のような事情に基づいて完成されたものであって、回路部と蓄電素子とを纏めて大型化することなく、回路部の損傷を防ぐことができる蓄電ユニットを形成することを目的とする。
【課題を解決するための手段】
【０００７】
本発明の蓄電ユニットは、複数の蓄電素子と前記複数の蓄電素子を収容する蓄電素子ケースとを有する蓄電モジュールと、電子部品が実装された回路部と、前記回路部の熱を放熱する放熱部材と、前記蓄電素子、前記回路部及び前記放熱部材が前記蓄電素子と前記放熱部材との間に前記回路部を配して積層された状態で前記蓄電モジュールを保持する保持部材と、前記蓄電素子の膨張を押さえる押さえ板と、を備え、前記保持部材は、前記蓄電素子を支持し、前記放熱部材に当接する支持部と、前記蓄電素子と前記回路部とを仕切る仕切り壁部と、前記押さえ板をネジでネジ留めするための留め部と、を備え、前記保持部材における少なくとも前記支持部は金属製とされ、前記仕切り壁部は、前記回路部に対して隙間を空けて対向配置されており、前記仕切り壁部と前記押さえ板との間に前記蓄電モジュールが挟まれて位置決めされる。
回路部と蓄電素子とを纏める場合には、蓄電素子の重さに応じた力が蓄電素子と放熱部材との間に生じて不具合が生じることが懸念されるが、本構成によれば、蓄電素子を保持する保持部材の支持部が蓄電素子を支持することで蓄電素子の重さによる不具合を抑制することができる。よって、回路部と蓄電素子とを纏めて大型化することなく、回路部の損傷を防ぐことができる蓄電ユニットを形成することが可能となる。
【０００８】
本発明の実施態様としては以下の態様が好ましい。
・前記保持部材は金属製であり、前記支持部は、前記回路部の周りに延びた周壁である。
このようにすれば、周壁により蓄電素子を安定した姿勢で支持することができる。
【０００９】
・前記保持部材は、前記蓄電素子を内側に収容する収容壁を備え、前記周壁の厚み寸法は、前記収容壁の厚み寸法よりも厚い。
このようにすれば、周壁の厚みにより蓄電素子の重量に応じた力を支えることができる。また、周壁にて熱を蓄えることができ、効果的に放熱部材に伝熱することができる。
【００１０】
・前記仕切り壁部は、前記蓄電素子を位置決めする位置決め部を有する。
このようにすれば、蓄電素子と回路部の間を仕切る仕切り壁部の構成を利用して蓄電素子を位置決めすることができる。
【００１１】
・前記支持部は、前記放熱部材に対して当該支持部とは反対側からネジでネジ留めして固定される留め部を有する。
このようにすれば、支持部の構成を利用して保持部材と放熱部材との間をネジで固定することができる。また、放熱部材に対して支持部側からネジ留めするのに比して、蓄電素子の重みで一定の固定もできているため、作業性容易かつ、小型化することができる。
【００１２】
・外部に取り付けられる取付部を備え、前記取付部は、前記支持部にネジでネジ留めして固定されている。
このようにすれば、支持部の構成を利用して取付部を固定することができる。また、蓄電素子の重量が重くても、安定して車両へ固定できる。
【発明の効果】
【００１３】
本発明によれば、回路部と蓄電素子とを纏めて大型化することなく、回路部の損傷を防ぐことができる蓄電ユニットを形成することが可能となる。
【図面の簡単な説明】
【００１４】
【図１】実施形態の蓄電ユニットを示す斜視図
【図２】蓄電ユニットを示す平面図
【図３】図２のＡ−Ａ断面図
【図４】蓄電ユニットを示す正面図
【図５】蓄電ユニットを示す左側面図
【図６】図５のＢ−Ｂ断面図
【図７】蓄電ユニットを示す背面図
【図８】蓄電ユニットの分解斜視図
【図９】蓄電モジュールを示す右側面図
【図１０】蓄電モジュールを示す底面図
【図１１】放熱部材を示す底面図
【図１２】保持部材を示す斜視図
【図１３】保持部材を示す平面図
【図１４】保持部材を示す正面図
【図１５】保持部材を示す左側面図
【図１６】保持部材を示す背面図
【図１７】保持部材を示す底面図
【発明を実施するための形態】
【００１５】
＜実施形態＞
実施形態を図１ないし図１７を参照しつつ説明する。
蓄電ユニット１０（図１）は、例えば、電気自動車やハイブリット自動車等の車両のバッテリ等からなる主電源とランプ等の車載電装品や駆動モータ等からなる負荷との間の電力供給経路に配され、例えば、エンジンのアイドルストップ時やエンジンの再始動時の補助電源及び充放電の制御装置として用いることができる。以下では、上下方向、左右方向については、図４を基準（Ｘ方向を右方、Ｚ方向を上方）とし、前後方向については、図２の下方を前方、上方（Ｙ方向）を後方として説明する。
【００１６】
（蓄電ユニット１０）
蓄電ユニット１０は、図８に示すように、複数（本実施形態では４個）の蓄電素子１２を有する蓄電モジュール１１と、蓄電モジュール１１を保持する保持部材５０と、保持部材５０の開口部５４を覆うカバー６８と、電子部品３３が実装された回路部３０と、回路部３０の熱を放熱する放熱部材３８と、蓄電ユニット１０を車両等の被取付部に取り付けるための取付部７５とを備えている。
【００１７】
（蓄電モジュール１１）
蓄電モジュール１１は、図９，図１０に示すように、主電源よりも容量の小さい補助電源として用いられる複数の蓄電素子１２と、複数の蓄電素子１２を収容する合成樹脂製の蓄電素子ケース１６と、一対のプリント基板２４と、電極端子１４間を接続する金属製の接続部材２５と、を備えている。
【００１８】
複数の蓄電素子１２は、左右一対、上下２段に配置され、それぞれ内部に図示しない蓄電要素が収容された扁平な直方体状の本体部の端面から垂直に一対の電極端子１４が突出している。左右一対の蓄電素子１２は、電極端子１４が背き合う向きで配置されている。複数の蓄電素子１２は、異極の電極端子１４が接続部材２５で接続されることで全体が直列接続されている。
【００１９】
蓄電素子ケース１６は、内部に角筒状の空間を形成する枠部１７と、枠部１７の左右の開口を閉鎖する一対の蓋部２１Ａ，２１Ｂとを備える。枠部１７には、蓄電素子１２を露出させる露出孔１８が貫通形成されている。枠部１７の底面の四隅の位置には、保持部材５０に嵌め入れて蓄電モジュール１１を位置決めすることができる円柱状のボス部１９が下方に突出している。ボス部１９には、金属のネジ２９でネジ留めが可能なネジ孔１９Ａが形成されている。ネジ孔１９Ａの開口にはネジ２９の挿入を案内するためのテーパが形成されている。
【００２０】
蓋部２１Ａ，２１Ｂの周縁部には、撓み変形可能な係止片２２が枠部１７側に突出している。係止片２２には長方形状の係止孔２２Ａが貫通形成されており、この係止孔２２Ａの孔縁が枠部１７の外面に形成された係止凸部２０に係止されることで蓋部２１Ａ，２１Ｂの枠部１７からの離脱が規制される。
プリント基板２４は、導電路のパターンが印刷された絶縁板からなり、電極端子１４に電気的に接続されている。
【００２１】
接続部材２５は、銅合金等の金属板材からなり、蓋部２１Ａ，２１Ｂを貫通した電極端子１４に締結部材としてのナット２７で締結されている。接続部材２５のうち、直列接続の端部に位置する電極端子１４に接続される接続部材２５Ａには、回路部３０の端子部３６と接続するための端子接続部２６が設けられている。端子接続部２６は、クランク状に屈曲された接続部材２５Ａの先端部に形成され、円柱状の端子部３６に嵌まる凹状の先端部を有する。
【００２２】
（回路部３０）
回路部３０は、例えば、ＤＣ−ＤＣコンバータやインバータ等の機能を有するものであり、図８に示すように、長方形状の２枚の回路基板３１，３２と、回路基板３１，３２に実装される複数の電子部品３３と、回路基板３１，３２に装着されるコネクタ部３５とを備えている。
【００２３】
回路基板３１は、絶縁板に導電路のパターンが印刷されてなるプリント基板に金属板材を導電路の形状に打ち抜いたバスバーとを重ねて構成されており、放熱部材３８の平坦な上面に絶縁性の接着剤で固定されている。回路基板３２は、絶縁板に導電路のパターンが印刷されてなるプリント基板からなり、回路基板３１よりも高い位置の異なる領域に配され、中継端子を介して回路基板３１に接続されている。回路基板３１，３２は、放熱部材３８にネジ３４でネジ留めされている。電子部品３３は、ＦＥＴ（Field Effect Transistor）等のリレー、コンデンサ（図８ではリレーやコンデンサ等は省略）、回路基板３１の縁部にネジ留めされたコイル等からなる。
【００２４】
コネクタ部３５は、回路基板３１，３２の縁部にコネクタハウジングがネジ留めして固定されており、Ｌ字状のコネクタ端子が回路基板３１，３２の導電路に接続されている。回路基板３１，３２の前方側の角部には、外部の電線Ｗが接続される端子部３６が形成されている。端子部３６は、合成樹脂製の端子保持部３７に保持されており、端子保持部３７は、回路基板３１，３２の縁部に固定されている。
【００２５】
（放熱部材３８）
放熱部材３８は、アルミニウム合金や銅合金等の熱伝導性が高い金属材料からなり、上面側が平坦で、下面側に多数の放熱フィン３９が並んで配されている。放熱部材３８の周縁部には、図３，図１１に示すように、保持部材５０に金属のネジ４０でネジ留めするためのネジ孔４１が４か所に形成されている。
【００２６】
（保持部材５０）
保持部材５０は、例えば、アルミニウムやアルミニウム合金等の金属材料からなり、例えば、アルミダイキャストで成形され、図１２，図１３に示すように、回路部３０に対向配置される長方形の板状の仕切り壁部５１と、仕切り壁部５１の周縁部から上方に張り出す角筒状の収容壁５５と、仕切り壁部５１の周縁部から下方に収容壁５５よりも低く張り出す角筒状の支持部６４とを備えている。
【００２７】
仕切り壁部５１は、回路部３０の全体を覆う大きさの長方形状であって、回路部３０に対して隙間を空けて対向配置されている。仕切り壁部５１の上面には、蓄電モジュール１１のボス部１９及び係止片２２からなる凸部が嵌め入れられて蓄電モジュール１１を位置決めするための位置決め部５２がボス部１９及び係止片２２の形状に応じた形状の凹部として形成されている。位置決め部５２のうち、ボス部１９が嵌まる位置決め部５２Ａには、ネジ２９の軸部を通す円形状の通し孔５３が貫通形成されている。図３に示すように、位置決め部５２Ａに嵌め入れられたボス部１９がネジ２９でネジ留めされた状態では、ネジ２９の頭部の底面は、放熱部材３８の上面の逃げ凹部３８Ａ内に配される。蓄電モジュール１１が下方側に力を受けると、ネジ２９の頭部が逃げ凹部３８Ａの上面に当接して支持される。
【００２８】
収容壁５５は、蓄電モジュール１１を包囲するように蓄電モジュール１１の高さに応じた一定の高さで角筒状に配され、図１２〜図１４に示すように、収容壁５５の前壁と後壁には、蓄電モジュール１１の露出孔１８に連なる長方形状の連通孔５７が複数貫通形成されている。収容壁５５の後壁における連通孔５７の両側には、上下方向に延びるリブ５８が突設されている。収容壁５５の上端部は、収容壁５５の内側に蓄電モジュール１１を挿通可能な大きさの開口部５４とされている。
【００２９】
収容壁５５の内側の角部の位置には、金属製の押さえ板２８（図８参照）をネジ２３でネジ留めするための４つの留め部５９が形成されている。押さえ板２８は、蓄電素子１２の膨張を押さえるものであり、仕切り壁部５１と押さえ板２８との間に蓄電モジュール１１が挟まれて蓄電モジュール１１が上下方向に位置決めされる。左右の収容壁５５の外面には、カバー６８を係止する係止部６０が突設されている。収容壁５５の前方側の両端部には、収容壁５５が分断されて端子部３６が導出可能とされた端子導出部７４が形成されている。収容壁５５の後方側の両端部には、角部を内側に窪ませた窪み部６２が形成されている。
【００３０】
支持部６４は、回路部３０の周りを全周に亘って包囲するように配され、放熱部材３８の上面との間を塞ぐことができる高さで形成されている。左右の支持部６４の外面には、車両のグランド電位の被取付部に取付けられる取付部７５を金属のネジ８０でネジ留めするための複数のネジ孔６１と、取付部７５を位置決めするための位置決め凸部６７とが形成されている。支持部６４の底面には、図３に示すように、放熱部材３８をネジ４０でネジ留めするためのネジ孔からなる留め部６６が形成されている。留め部６６がネジ留めされることで放熱部材３８と支持部６４が電気的に接続される。支持部６４が放熱部材３８に当接するため、回路部３０等から保持部材５０に伝わる熱を放熱部材３８に伝達することができる。支持部６４の前面には、図１４に示すように、コネクタ部３５の位置に応じてコネクタ部３５の上半分の外周をほぼ隙間なく嵌めることができる切欠部６５が形成されている。
【００３１】
（カバー６８）
カバー６８は、絶縁性の合成樹脂製であって、図８に示すように、長方形の板状の板状部６９と、保持部材５０に係止される被係止部７１と、端子導出部７４に嵌め入れられる嵌入部７３とを備えている。板状部６９には、前後に並んだスリット７０が板状部６９を貫通している。
【００３２】
被係止部７１は、板状部６９の両側縁から下方に突出しており、保持部材５０の係止部６０が孔縁に係止する複数の長方形状の係止孔７２が貫通形成されている。嵌入部７３は、角部側を凹ませてＬ字状に下方に延びている。
【００３３】
取付部７５は、Ｌ字状の金属からなり、保持部材５０の外面に固定される保持部材側固定部７６と、保持部材側固定部７６と直交する方向に板状に延びて外部に固定される外部固定部７９とを備えている。保持部材側固定部７６は、ネジ８０の軸部が通る通し孔７７と支持部６４の外面の位置決め凸部６７が嵌め入れられる位置決め孔７８とが貫通形成されている。保持部材側固定部７６は、支持部６４の外面にネジ８０でネジ留めして固定されることで支持部６４と電気的に接続される。外部固定部７９は、車両のスタッドボルト等が挿通される挿通孔７９Ａが貫通形成されている。
【００３４】
本実施形態の作用、効果について説明する。
本実施形態によれば、蓄電ユニット１０は、回路部３０と蓄電素子１２とを備えるとともに、蓄電素子１２を保持する保持部材５０の支持部６４が蓄電素子１２（蓄電素子１２と放熱部材３８との間）を支持することで蓄電素子１２の重さによる不具合（回路部３０の損傷等）を抑制することができる。よって、回路部３０と蓄電素子１２とを纏めて大型化することなく、回路部３０の損傷を防ぐことができる蓄電ユニット１０を形成することが可能となる。
【００３５】
また、保持部材５０は金属製であり、支持部６４は、回路部３０の周りに延びた周壁６４である。
このようにすれば、周壁６４により蓄電素子１２を安定した姿勢で支持することができる。
【００３６】
さらに、保持部材５０は、蓄電素子１２を内側に収容する収容壁５５を備え、周壁６４の厚み寸法は、収容壁５５の厚み寸法よりも厚い。
このようにすれば、支持部６４の厚みにより蓄電素子１２の重量に応じた力を支えることができる。また、支持部６４（周壁）にて熱を蓄えることができ、効果的に放熱部材３８に伝熱することができる。
【００３７】
また、保持部材５０は、蓄電素子１２と回路部３０とを仕切る仕切り壁部５１を備え、仕切り壁部５１は、蓄電素子１２を位置決めする位置決め部５２Ａを有する。
このようにすれば、蓄電素子１２と回路部３０の間を仕切る仕切り壁部５１の構成を利用して蓄電素子１２を位置決めすることができる。
【００３８】
さらに、支持部６４は、放熱部材３８に対して下側（当該支持部６４とは反対側）からネジ４０でネジ留めして固定される留め部６６を有する。
このようにすれば、支持部６４の構成を利用して保持部材５０と放熱部材３８との間をネジで固定することができる。また、例えば蓄電素子１２の上側からネジ留めするのに比して、蓄電素子１２の重みを支持部６４を受けることで一定の固定もできているため、作業性容易かつ、固定構造を簡素化することで小型化することができる。
【００３９】
また、外部に取り付けられる取付部７５を備え、取付部７５は、支持部６４にネジ８０でネジ留めして固定されている。
このようにすれば、支持部の構成を利用して取付部７５を固定することができる。また、蓄電素子１２の重量が重くても、安定して車両へ固定できる。
【００４０】
さらに、保持部材５０は、蓄電素子１２を挿通可能な開口部５４を備え、開口部５４を閉鎖する樹脂製のカバー６８を備えている。
このようにすれば、比較的強度が不要な部分については、樹脂性のカバー６８で覆うことで、製造コストを低減することができる。
【００４１】
＜他の実施形態＞
本発明は上記記述及び図面によって説明した実施形態に限定されるものではなく、例えば次のような実施形態も本発明の技術的範囲に含まれる。
（１）支持部は、回路部３０の周りに延びた支持部６４としたが、これに限られない。例えば、回路部３０の外周縁よりも内側に蓄電素子１２の重さを支持する支持部を設けてもよい。また、例えば、支持部が回路部３０に当接して蓄電素子１２の重さを支持するようにしてもよい。また、支持部６４は、回路部３０の全周に亘って設けたが、これに限られず、例えば、支持部が周方向に１又は複数箇所で分断されるようにしてもよい。
（２）回路部３０は、２枚の回路基板３１,３２を備えることとしたが、回路基板３１,３２を統合して１枚の回路基板としてもよい。
【００４２】
（３）上記実施形態では、保持部材５０は、全体が金属製であったが、少なくとも支持部が金属製であればよい。例えば、保持部材における支持部以外を合成樹脂製としてもよい。
（４）カバー６８は、絶縁性の合成樹脂製としたが、金属製としてもよい。
【００４３】
（５）蓄電素子１２は、電池としたが、これに限られず、キャパシタとしてもよい。
（６）保持部材５０は収容壁５５を備えていなくてもよい。
【００４４】
（７）蓄電ユニット１０を車両等に搭載する際の向きは、上記実施形態の向きに限られず、種々の向きで配置することができる。例えば、図４の左右方向が上下方向（Ｘ方向が上方又は下方）となるように配置してもよい。
【００４５】
（８）保持部材５０の蓄電モジュール（蓄電素子１２）の保持は、上記構成に限られない。例えば、保持部材に係止爪を設け、この係止爪が蓄電モジュール（蓄電素子１２）を係止することで蓄電モジュール（蓄電素子１２）を保持部材の所定の位置に保持するようにしてもよい。
（９）蓄電素子１２の数は、上記実施形態の数に限られない。
【符号の説明】
【００４６】
１０：  蓄電ユニット
１１：  蓄電モジュール
１２：  蓄電素子
１９：  ボス部
２２：  係止片
２３，２９，３４，４０，８０：  ネジ
３０：  回路部
３３：  電子部品
３８：  放熱部材
５０：  保持部材
５１：  仕切り壁部
５２Ａ（５２）：  位置決め部
５４：  開口部
５５：  収容壁
５７：  連通孔
６４：  支持部（周壁）
６８：  カバー
７５：  取付部
【図１】
0006413637.tif 000002
【図２】
0006413637.tif 000003
【図３】
0006413637.tif 000004
【図４】
0006413637.tif 000005
【図５】
0006413637.tif 000006
【図６】
0006413637.tif 000007
【図７】
0006413637.tif 000008
【図８】
0006413637.tif 000009
【図９】
0006413637.tif 000010
【図１０】
0006413637.tif 000011
【図１１】
0006413637.tif 000012
【図１２】
0006413637.tif 000013
【図１３】
0006413637.tif 000014
【図１４】
0006413637.tif 000015
【図１５】
0006413637.tif 000016
【図１６】
0006413637.tif 000017
【図１７】
0006413637.tif 000018